【手続補正書】
【提出日】平成18年3月8日(2006.3.8)
【手続補正１】
【補正対象書類名】明細書
【補正対象項目名】特許請求の範囲
【補正方法】変更
【補正の内容】
【特許請求の範囲】
【請求項１】  撮影により得られた画像データを再生する画像再生装置において、該装置は、
撮影において設定された色空間に前記画像データを変換する複数の係数で表される第１の色空間情報および第１の色空間情報に対して最適な色温度情報を前記画像データとともに読み出す読出し手段と、
第１の色空間情報に基づいて前記画像データを補正する第１の色空間補正手段と、
前記色温度情報に基づいて第１の色空間補正手段からの画像データを補正する色温度補正手段と、
該装置において設定する色空間に前記画像データを変換する複数の係数で表される第２の色空間情報に基づいて前記色温度補正手段からの画像データを補正する第２の色空間補正手段とを含むことを特徴とする画像再生装置。
【請求項２】  請求項１に記載の装置において、第１の色空間情報は、前記撮影にてメーカ側が提案する色空間の標準規格を含み、第２の色空間情報は、該装置のユーザが所望の色空間であることを特徴とする画像再生装置。
【請求項３】  被写界からの入射光を電気信号に変換する複数の受光素子が配設された撮像手段に入射させ、該撮像手段から出力される撮像信号をディジタル化し、該ディジタル化した生の撮像データを記録するRAWモードを有する固体撮像装置において、該装置は、
前記撮像データを基に該撮像データにおける色温度を調整し、該色温度の調整が良好か否かを判定し、該判定結果として得られる色温度を反映したゲイン調整情報を出力する調整判定手段と、
前記生の撮像データとともに、撮影において使用する色空間に前記生の撮像データを変換する複数の係数を含む色空間情報および前記ゲイン調整情報を所定の記録形式に調整する記録調整手段と、
前記調整判定手段および前記記録調整手段を制御するシステム制御手段とを含むことを特徴とする固体撮像装置。
【請求項４】  請求項３に記載の装置において、該装置は、撮影において使用する色空間の色空間情報に応じて前記撮像データを補正する色空間補正手段と、
前記調整の判定結果にともない出力されるゲイン調整情報を基に前記色空間補正手段からの撮像データを補正するゲイン補正手段とを含むことを特徴とする固体撮像装置。
【請求項５】  被写界からの入射光を電気信号に変換する複数の受光素子が配設された撮像手段に入射させ、該撮像手段から出力される撮像信号をディジタル化し、該ディジタル化した生の撮像データを記録するRAWモードを有する固体撮像装置の機能と、該RAWモードにより得られた撮像データを画像データとして再生する画像再生装置の機能とを含む固体撮像システムにおいて、該システムは、
前記撮像データを基に該撮像データにおける色温度を調整し、該色温度の調整が良好か否かを判定し、該判定結果として得られる色温度を反映した色温度情報としてのゲイン調整情報を出力する調整判定手段と、
前記RAWモードに応じて生の撮像データとともに、撮影において使用する色空間に前記生の撮像データを変換する複数の係数を含む第１の色空間情報および前記ゲイン調整情報を所定の記録形式に調整して、記録および再生を行う書込み/読出し手段と、
第１の色空間情報に基づいて前記画像データを補正する第１の色空間補正手段と、
前記ゲイン調整情報に基づいて第１の色空間補正手段からの画像データを補正する色温度補正手段と、
該システムにおいて新たな設定の色空間に前記画像データを変換する複数の係数で表される第２の色空間情報に基づいて前記色温度補正手段からの画像データを補正する第２の色空間補正手段と、
前記調整判定手段、前記書込み/読出し手段、前記色温度補正手段、ならびに第１および第２の色空間補正手段を制御するシステム制御手段とを含むことを特徴とする固体撮像システム。
【請求項６】  請求項５に記載のシステムにおいて、第１の色空間情報は、前記撮影にてメーカ側が提案する色空間の標準規格を含み、第２の色空間情報は、該装置のユーザが所望の色空間であることを特徴とする固体撮像システム。
【請求項７】  請求項５または６に記載のシステムにおいて、第１の色空間補正手段は、撮影において使用する第１の色空間情報に応じて前記撮像データを補正するリニア補正手段を用い、
前記色温度補正手段は、前記調整の判定結果にともない出力されるゲイン調整情報を基に前記色空間補正手段からの撮像データを補正するゲイン補正手段を用いることを特徴とする固体撮像システム。
【手続補正２】
【補正対象書類名】明細書
【補正対象項目名】００２９
【補正方法】変更
【補正の内容】
【００２９】
リニアMTX回路76は、システム制御部22から供給される所定のリニアマトリクス係数92を基に供給される画像データ56に対するRGBの色空間を変換する演算機能を有する。所定のリニアマトリクス係数92は、一般的に企業が提案したいくつかある色空間の内、ディジタルカメラ10にて採用した一つの色空間に変換する係数である。所定のリニアマトリクス係数92には、マイクロソフト社等が提案するsRGB、Adobe社の提案するAdobe RGB、コダック社の提案するProPhoto RGB、富士写真フイルム社の提案するFinePix RGB等がある。リニアMTX回路76は、所定の色空間に変換した画像データをゲイン補正回路80に出力する。
【手続補正３】
【補正対象書類名】明細書
【補正対象項目名】００３９
【補正方法】変更
【補正の内容】
【００３９】
また、YC変換回路86の後段にノイズ低減回路を配設してもよい。ノイズ低減回路は、供給される信号に含まれるノイズ成分を抑制するフィルタ機能を有している。ノイズ低減回路は、ローパスフィルタと、メディアンフィルタとを含む。ローパスフィルタは、輝度信号として供給される画素データと色信号の画素データに対してエリアシングが生じないように広い帯域にわたって信号を通す機能を有する。メディアンフィルタは、画像におけるエッジをぼかすことなく、雑音を減らす機能を有する。
【手続補正４】
【補正対象書類名】明細書
【補正対象項目名】００４１
【補正方法】変更
【補正の内容】
【００４１】
表示制御部70は、ディジタル処理部64で生成した画像データや再生にともなってストレージ32から読み出した画像データに伸長処理して得られた画像データ等に対してRGB変換を行い、このRGB変換した画像データをモニタ30が表示可能な画素サイズにする機能を有している。表示制御部70は、制御バス72を介して供給される制御信号74に応じて動作する。画像表示におけるサイズは、間引き処理によって破綻のない画像を生成する。表示制御部70は、生成した画像データをモニタ30に供給する。
【手続補正５】
【補正対象書類名】明細書
【補正対象項目名】００４９
【補正方法】変更
【補正の内容】
【００４９】
また、タイミング信号発生器26は、基準とするクロック信号（図示せず）を基に各種のタイミング信号を生成する。タイミング信号には、水平転送信号の他、垂直同期信号、水平同期信号、フィールドシフトパルス、垂直転送信号、および電子シャッタパルス等がある。また、タイミング信号発生器26は、CDSパルス52および変換クロック信号54も生成して前処理部18に供給している。タイミング信号発生器26は、これら生成した垂直同期信号、水平同期信号、フィールドシフトパルス、垂直転送信号、水平転送信号および電子シャッタパルスを含むタイミング信号122をドライバ28に供給している。
【手続補正６】
【補正対象書類名】明細書
【補正対象項目名】００５３
【補正方法】変更
【補正の内容】
【００５３】
ストレージ32は、半導体メモリ等を記録媒体として用いて、信号処理部20からディジタル処理された画像データおよび何もディジタル処理の施されない画像データのいずれかとともに、リニアマトリクス係数92および色温度情報であるホワイトバランスゲイン94を記録する。記録媒体には、光ディスクや光磁気ディスク等を用いてもよい。ストレージ32は、各記録媒体に適したピックアップやピックアップと磁気ヘッドを組み合わせて記録再生用ヘッドを用いてデータの書込み/読出しを行う。データの書込み/読出しは、システム制御部22の制御信号74に応じて行われる。
【手続補正７】
【補正対象書類名】明細書
【補正対象項目名】００５５
【補正方法】変更
【補正の内容】
【００５５】
ストレージ32の記録フォーマット124は、図３に示すように、ヘッダ領域126と画像データ領域128を含む。ヘッダ領域126は、何番目の画像ファイルであるかを示すファイル情報130、撮影の日時を示す撮影時情報132、ホワイトバランスゲイン134およびリニアマトリクス係数136を含む。画像データ領域128は、モードに応じたデータが供給され、格納されている。
【手続補正８】
【補正対象書類名】明細書
【補正対象項目名】００６０
【補正方法】変更
【補正の内容】
【００６０】
ゲイン補正回路218には、半導体メモリから読み出した撮影時のホワイトバランスゲイン212が供給されている。ゲイン補正回路218は、画像データ230に対して撮影時のホワイトバランスゲイン212でゲインを調整する。リニアMTX回路214およびゲイン補正回路218を配設して処理することにより、これまでの一連の処理は、撮影時の色空間に応じた画像データにして、この画像データに対する最適なホワイトバランス調整が行われる。ゲイン補正回路218は、適切にホワイトバランス調整された画像データ232をリニアMTX回路216に供給する。
【手続補正９】
【補正対象書類名】明細書
【補正対象項目名】００７７
【補正方法】変更
【補正の内容】
【００７７】
また、本発明の固体撮像装置によれば、調整判定手段で色温度情報としてのゲイン調整情報を求め、RAWモードにおいて記録調整手段で生の画像データ、ゲイン調整情報および撮影で設定されていた色空間情報を記録することにより、再生において生じるホワイトバランスの崩れの防止に大いに貢献することができる。